(57)【要約】  軸方向に延びる中心電極と、中心電極の外周に設けられる筒状の絶縁体と、絶縁体の外周に設けられる筒状の主体金具と、一端が主体金具に接合され、一端から他端にかけて湾曲した接地電極とを有し、中心電極の軸方向から見たときに、他端の端面が一端と中心電極との間、または、中心電極上に位置するスパークプラグは、端面は、接地電極の内側面から外側面に向かう方向において、端面の中心位置から１２％〜８８％外側面側の位置にのみ中心電極の軸方向と直交する方向の幅が最大となる最大幅部を有し、最大幅部から接地電極の内側面および外側面のそれぞれに向かうほど、中心電極の軸方向と直交する方向の幅が減少する。
2012114661.tif 000002
【特許請求の範囲】
【請求項１】
軸方向に延びる中心電極と、
前記中心電極の外周に設けられる筒状の絶縁体と、
前記絶縁体の外周に設けられる筒状の主体金具と、
一端が前記主体金具に接合され、前記一端から他端にかけて湾曲した接地電極とを有し、
前記中心電極の軸方向から見たときに、前記他端の端面が前記一端と前記中心電極との間、または、前記中心電極上に位置するスパークプラグであって、
前記端面は、
前記接地電極の内側面から外側面に向かう方向において、前記端面の中心位置から１２％〜８８％外側面側の位置にのみ前記中心電極の軸方向と直交する方向の幅が最大となる最大幅部を有し、
前記最大幅部から前記接地電極の内側面および外側面のそれぞれに向かうほど、前記中心電極の軸方向と直交する方向の幅が減少する、スパークプラグ。
【請求項２】
請求項１に記載のスパークプラグにおいて、
前記端面は、前記接地電極の内側面から外側面に向かう方向において、前記端面の中心位置から２５％〜７５％外側面側の位置にのみ前記最大幅部を有する、スパークプラグ。
【請求項３】
請求項１または請求項２に記載のスパークプラグにおいて、
前記端面は、外周部に前記中心電極の軸方向と直交する方向に沿って直線状に延びる第１の端辺と第２の端辺とを備え、
前記第１の端辺は、前記端面と前記外側面との交線として形成され、前記第２の端辺は、前記端面と前記内側面との交線として形成され、
前記第１の端辺の長さＡ１は、前記第２の端辺の長さＡ２よりも長く、前記最大幅部の幅よりも短い、スパークプラグ。
【請求項４】
請求項３に記載のスパークプラグにおいて、
前記端面は、前記第１の端辺と前記第２の端辺との間の外周部が湾曲形状を有している、スパークプラグ。
【請求項５】
請求項１ないし請求項４のいずれかに記載のスパークプラグにおいて、
前記最大幅部の幅は、１．５ｍｍ以上であり２．２ｍｍ以下である、スパークプラグ。
【請求項６】
請求項１ないし請求項５のいずれかに記載のスパークプラグにおいて、
前記接地電極は、貴金属チップが前記端面から突出するように取り付けられている、スパークプラグ。
【発明の詳細な説明】
【技術分野】
【０００１】
本発明は、スパークプラグに関する。
【背景技術】
【０００２】
近年、環境面の観点から、高圧縮、高過給エンジンの開発が盛んであり、高圧力環境下において安定した着火性を有するスパークプラグが望まれている。また、着火性の向上を図るために、接地電極の先端部の断面形状を台形状にする技術が知られている（特許文献１）。
【先行技術文献】
【特許文献】
【０００３】
【特許文献１】特開平９−１２９３５６号公報
【特許文献２】特開２００７−２４２５８８号公報
【発明の概要】
【発明が解決しようとする課題】
【０００４】
しかし、従来技術では、スパークプラグが高圧力環境下において使用された場合に、接地電極の先端部が高温化する問題が生じるなど、高圧力環境下で使用されるスパークプラグの着火性の向上を図る技術については、なお改善の余地があった。【０００５】
本発明は、上記の課題を解決するためになされたものであり、高圧力環境下で使用されるスパークプラグの着火性の向上を図ることを目的とする。
【課題を解決するための手段】
【０００６】
上記課題の少なくとも一部を解決するために、本願発明は、以下の態様または適用例として実現することが可能である。【０００７】
［適用例１］
軸方向に延びる中心電極と、
前記中心電極の外周に設けられる筒状の絶縁体と、
前記絶縁体の外周に設けられる筒状の主体金具と、
一端が前記主体金具に接合され、前記一端から他端にかけて湾曲した接地電極とを有し、
前記中心電極の軸方向から見たときに、前記他端の端面が前記一端と前記中心電極との間、または、前記中心電極上に位置するスパークプラグであって、
前記端面は、
前記接地電極の内側面から外側面に向かう方向において、前記端面の中心位置から１２％〜８８％外側面側の位置にのみ前記中心電極の軸方向と直交する方向の幅が最大となる最大幅部を有し、
前記最大幅部から前記接地電極の内側面および外側面のそれぞれに向かうほど、前記中心電極の軸方向と直交する方向の幅が減少する、スパークプラグ。【０００８】
この構成によれば、接地電極の長さが短くなるため、高圧力環境下においても、接地電極の先端部の高温化を抑制でき、また、混合気の流れを整流させることができるため、接地電極の着火性の向上を図ることができる。【０００９】
［適用例２］
適用例１に記載のスパークプラグにおいて、
前記端面は、前記接地電極の内側面から外側面に向かう方向において、前記端面の中心位置から２５％〜７５％外側面側の位置にのみ前記最大幅部を有する、スパークプラグ。【００１０】
この構成によれば、端面の最大幅部が、端面の中心位置から２５％〜７５％外側面側の位置にのみ形成されているため、混合気の流れを整流させて、接地電極の着火性をより向上させることができる。【００１１】
［適用例３］
適用例１または適用例２に記載のスパークプラグにおいて、
前記端面は、外周部に前記中心電極の軸方向と直交する方向に沿って直線状に延びる第１の端辺と第２の端辺とを備え、
前記第１の端辺は、前記端面と前記外側面との交線として形成され、前記第２の端辺は、前記端面と前記内側面との交線として形成され、
前記第１の端辺の長さＡ１は、前記第２の端辺の長さＡ２よりも長く、前記最大幅部の幅よりも短い、スパークプラグ。【００１２】
この構成によれば、端面は、外側面側の端辺の長さＡ１が、内側面側の端辺の長さＡ２よりも長く、最大幅部の幅よりも短いため、混合気の流れを整流させて、接地電極の着火性を向上させることができる。【００１３】
［適用例４］
適用例３に記載のスパークプラグにおいて、
前記端面は、前記第１の端辺と前記第２の端辺との間の外周部が湾曲形状を有している、スパークプラグ。【００１４】
この構成によれば、端面の外周部において、第１の端辺と第２の端辺とを互いに繋ぐ部分が湾曲形状をしているため、混合気の流れを整流させて、接地電極の着火性を向上させることができる。【００１５】
［適用例５］
適用例１ないし適用例４のいずれかに記載のスパークプラグにおいて、
前記最大幅部の幅は、１．５ｍｍ以上であり２．２ｍｍ以下である、スパークプラグ。【００１６】
この構成によれば、最大幅部の幅を１．５ｍｍ〜２．２ｍｍとすることにより、接地電極の着火性を向上させることができる。【００１７】
［適用例６］
適用例１ないし適用例５のいずれかに記載のスパークプラグにおいて、
前記接地電極は、貴金属チップが前記端面から突出するように取り付けられている、スパークプラグ。【００１８】
この構成によれば、整流された混合気体を、貴金属チップに沿うように着火点へ誘導することができるため、接地電極の着火性を向上させることができる。
【図面の簡単な説明】
【００１９】
【図１】第１実施例に係るスパークプラグ１００の部分断面図である。
【図２】スパークプラグ１００の中心電極２０の先端部２２付近の拡大図である。
【図３】スパークプラグ１００の中心電極２０の先端部２２付近の拡大図である。
【図４】接地電極３０の端面３３の形状を説明するための説明図である。
【図５】最大幅部ＰＸの位置に関する着火性評価試験の結果を例示した説明図である。
【図６】最大幅部ＰＸの幅Ｌｍａｘに関する着火性評価試験の結果を例示した説明図である。
【図７】第２実施例に係るスパークプラグ１００ａの中心電極２０の先端部２２付近の拡大図である。
【図８】外側電極チップ８０の取り付け位置に関する着火性評価試験の結果を例示した説明図である。
【図９】第３実施例に係るスパークプラグ１００ｂの中心電極２０の先端部２２付近の拡大図である。
【図１０】変形例１におけるスパークプラグの中心電極２０の先端部２２付近の拡大図である。
【図１１】変形例２におけるスパークプラグの中心電極２０の先端部２２付近の拡大図である。
【図１２】変形例３におけるスパークプラグの中心電極２０の先端部２２付近の拡大図である。
【図１３】変形例４におけるスパークプラグの中心電極２０の先端部２２付近の拡大図である。
【図１４】変形例５におけるスパークプラグの中心電極２０の先端部２２付近の拡大図である。
【図１５】変形例６におけるスパークプラグの中心電極２０の先端部２２付近の拡大図である。
【発明を実施するための形態】
【００２０】
Ａ．第１実施例：
図１は、第１実施例に係るスパークプラグ１００の部分断面図である。図１において、スパークプラグ１００の軸線Ｏ方向を図面における上下方向とし、下側をスパークプラグ１００の先端側、上側を後端側として示している。
【００２１】
スパークプラグ１００は、絶縁体としての絶縁碍子１０と、この絶縁碍子１０を保持する主体金具５０と、絶縁碍子１０内に軸線Ｏ方向に保持された中心電極２０と、主体金具５０の先端面５７に基端部３２を溶接され、基端部３２から先端部３１にかけて、中心電極２０の先端部２２側に湾曲した接地電極３０と、絶縁碍子１０の後端部に設けられた端子金具４０とを備えている。
【００２２】
絶縁碍子１０は周知のようにアルミナ等を焼成して形成され、軸中心に軸線Ｏ方向へ延びる軸孔１２が形成された筒形状を有する。軸線Ｏ方向の略中央には外径が最も大きな鍔部１９が形成されており、それより後端側（図１における上側）には後端側胴部１８が形成されている。鍔部１９より先端側（図１における下側）には、後端側胴部１８よりも外径の小さな先端側胴部１７が形成され、さらにその先端側胴部１７よりも先端側に、先端側胴部１７よりも外径の小さな脚長部１３が形成されている。脚長部１３は先端側ほど縮径され、スパークプラグ１００が内燃機関のエンジンヘッド２００に取り付けられた際には、その燃焼室に曝される。脚長部１３と先端側胴部１７との間には段部１５が形成されている。
【００２３】
中心電極２０は、インコネル（商標名）６００または６０１等のニッケルまたはニッケルを主成分とする合金から形成された電極母材２１の内部に、電極母材２１よりも熱伝導性に優れる銅または銅を主成分とする合金からなる芯材２５を埋設した構造を有する棒状の電極である。通常、中心電極２０は、有底筒状に形成された電極母材２１の内部に芯材２５を詰め、底側から押出成形を行って引き延ばすことで作製される。芯材２５は、胴部分においては略一定の外径をなすものの、先端側においては先細り形状に形成される。
【００２４】
中心電極２０の先端部２２は絶縁碍子１０の先端部よりも突出されており、先端側に向かって径小となるように形成されている。中心電極２０の先端部２２の先端面には、耐火花消耗性を向上するため、高融点の貴金属からなる略円筒形状の中心電極チップ７０が接合されている。中心電極チップ７０は、例えば、イリジウム（Ｉｒ）や、Ｉｒを主成分として、白金（Ｐｔ）、ロジウム（Ｒｈ）、ルテニウム（Ｒｕ）、パラジウム（Ｐｄ）、レニウム（Ｒｅ）のうち、１種類あるいは２種類以上を添加したＩｒ合金によって形成することができる。
【００２５】
中心電極２０と中心電極チップ７０の接合は、中心電極チップ７０と中心電極２０の先端部２２との合わせ面を狙って外周を一周するレーザ溶接によって行われている。レーザ溶接では、レーザの照射により両材料が溶けて混ざり合うため、中心電極チップ７０と中心電極２０とは強固に接合される。中心電極２０は軸孔１２内を後端側に向けて延設され、シール体４およびセラミック抵抗３（図１参照）を経由して、後方（図１における上方）の端子金具４０に電気的に接続されている。端子金具４０には高圧ケーブル（図示外）がプラグキャップ（図示外）を介して接続され、高電圧が印加される。
【００２６】
主体金具５０は、内燃機関のエンジンヘッド２００にスパークプラグ１００を固定するための円筒状の金具である。主体金具５０は、絶縁碍子１０を、その後端側胴部１８の一部から脚長部１３にかけての部位を取り囲むようにして内部に保持している。主体金具５０は低炭素鋼材より形成され、図示外のスパークプラグレンチが嵌合する工具係合部５１と、内燃機関の上部に設けられたエンジンヘッド２００の取付ねじ孔２０１に螺合するねじ山が形成された取付ねじ部５２とを備えている。
【００２７】
主体金具５０の工具係合部５１と取付ねじ部５２との間には、鍔状のシール部５４が形成されている。取付ねじ部５２とシール部５４との間のねじ首５９には、板体を折り曲げて形成した環状のガスケット５が嵌挿されている。ガスケット５は、スパークプラグ１００をエンジンヘッド２００に取り付けた際に、シール部５４の座面５５と取付ねじ孔２０１の開口周縁部２０５との間で押し潰されて変形する。このガスケット５の変形により、スパークプラグ１００とエンジンヘッド２００間が封止され、取付ねじ孔２０１を介したエンジン内の気密漏れが防止される。
【００２８】
接地電極３０は耐腐食性の高い金属から構成され、一例として、インコネル（商標名）６００または６０１等のニッケル合金が用いられる。スパークプラグ１００は、接地電極３０の形状に特徴がある。接地電極３０の形状について図２〜図４を用いて後に詳述する。
【００２９】
主体金具５０の工具係合部５１より後端側には薄肉の加締部５３が設けられている。また、シール部５４と工具係合部５１との間には、加締部５３と同様に薄肉の座屈部５８が設けられている。工具係合部５１から加締部５３にかけての主体金具５０の内周面と絶縁碍子１０の後端側胴部１８の外周面との間には、円環状のリング部材６，７が介在されており、さらに両リング部材６，７間にタルク（滑石）９の粉末が充填されている。加締部５３を内側に折り曲げるようにして加締めることにより、リング部材６，７およびタルク９を介し、絶縁碍子１０が主体金具５０内で先端側に向け押圧される。これにより、主体金具５０の内周で取付ねじ部５２の位置に形成された段部５６に、環状の板パッキン８を介し、絶縁碍子１０の段部１５が支持されて、主体金具５０と絶縁碍子１０とが一体にされる。このとき、主体金具５０と絶縁碍子１０との間の気密性は、板パッキン８によって保持され、燃焼ガスの流出が防止される。座屈部５８は、加締めの際に、圧縮力の付加に伴い外向きに撓み変形するように構成されており、タルク９の圧縮ストロークを稼いで主体金具５０内の気密性を高めている。なお、段部５６よりも先端側における主体金具５０と絶縁碍子１０との間には、所定寸法のクリアランスＣが設けられている。
【００３０】
図２、図３は、スパークプラグ１００の中心電極２０の先端部２２付近の拡大図である。図２（ａ）は、中心電極２０の先端部２２をスパークプラグ１００の先端側が上側となるように示している。図２（ｂ）は、中心電極２０の先端部２２をスパークプラグ１００の軸線Ｏ方向から見た状態を示している。図３は、図２（ａ）の右方向ＯＲから見たスパークプラグ１００の中心電極２０の先端部２２付近の拡大図である。
【００３１】
図２、図３に示すように、接地電極３０は、自身の長手方向の横断面が略矩形形状を有しており、先端部３１にその横断面と同じ形状の端面３３を備えている。端面３３は、接地電極３０の長手方向の横断面と異なる形状としてもよい。図２（ａ）に示すように、接地電極３０は、この端面３３の法線Ｘ方向が軸線Ｏ方向と直交するように、中心電極２０の先端部２２側に湾曲している。また、接地電極３０は、この湾曲の内側となる側面に内側面３４を備え、外側となる側面に外側面３５を備えている。
【００３２】
図２（ｂ）に示すように、接地電極３０の端面３３は、その法線Ｘ方向が、接地電極３０の基端部３２の中心点３２ｇと、中心電極２０の先端部２２に形成された中心電極チップ７０の中心点７０ｇとを繋ぐ接続線Ｙ方向（図２（ｂ）左右方向）と平行になるように形成されている。また、軸線Ｏ方向から見たときに（図２（ｂ））、端面３３は、接地電極３０の基端部３２と中心電極２０の先端部２２に形成された中心電極チップ７０との間、または、中心電極チップ７０上に位置するように形成されている。
【００３３】
端面３３の接続線Ｙ方向における位置をより具体的に説明する。図２（ａ）（ｂ）には、接続線Ｙ方向における以下の位置が示されている。
（１）位置Ｐｆ：接地電極３０の端面３３の位置
（２）位置Ｐｅｂ：接地電極３０の基端部３２の中心電極２０側の端辺ｅｂの位置
（３）位置Ｐｃｉ：中心電極チップ７０のうち、接地電極３０に最も近い端点ｃｉの位置
（４）位置Ｐｃｏ：中心電極チップ７０のうち、接地電極３０に最も遠い端点ｃｏの位置
このとき、接地電極３０は、端面３３の位置Ｐｆが、接地電極３０の位置Ｐｅｂと、中心電極チップ７０の位置Ｐｃｉとの間となるように形成されている。また、接地電極３０は、中心電極チップ７０の位置Ｐｃｉと位置Ｐｃｏとの間となるように形成されていてもよい。
【００３４】
従来の接地電極は、その内側面が中心電極２０の先端部２２と軸線Ｏ方向に対向するように、接続線Ｙ方向において、その先端部の位置が中心電極チップ７０の位置Ｐｃｏを超えるように形成されていた。しかし、本実施例の接地電極３０は、接地電極３０の端面３３の位置Ｐｆが上述したように設定されているため、接地電極３０の基端部３２から先端部３１までの長さを短くすることができる。よって、スパークプラグ１００が高圧縮、高過給エンジンなどの高圧力環境下で使用された場合であっても、接地電極３０の先端部３１の高温化を抑制することができる。
【００３５】
また、接地電極３０の端面３３は、図３に示すように、外周部３３ｏｃに、外側面３５との交線として形成される上側端辺ＥＳｕと、内側面３４との交線として形成される下側端辺ＥＳｂとを備えている。上側端辺ＥＳｕおよび下側端辺ＥＳｂは、それぞれ、軸線Ｏ方向と直交する方向に延在している。上側端辺ＥＳｕと下側端辺ＥＳｂの詳細な形状については図４を用いて後述する。
【００３６】
図４は、接地電極３０の端面３３の形状を説明するための説明図である。図４は、接地電極３０の端面３３をその法線Ｘ方向から見た状態を示している。ここでは、上側端辺ＥＳｕおよび下側端辺ＥＳｂの延在する方向を端面３３の幅方向ＯＷ（図４左右方向）と呼ぶ。また、上側端辺ＥＳｕおよび下側端辺ＥＳｂと直交する方向を端面３３の高さ方向ＯＨ（図４上下方向）と呼ぶ。端面３３の法線Ｘ方向と幅方向ＯＷと高さ方向ＯＨは、互いに直交する。以後、幅方向ＯＷにおける端面３３の幅を幅Ｌと呼ぶ。また、高さ方向ＯＨにおける端面３３の中心線Ｚからの距離を距離Ｄと呼ぶ。ここで、中心線Ｚとは、端面３３の中心点３３ｇを通り、幅方向ＯＷと平行な直線をいう。中心点３３ｇは、幅方向ＯＷおよび高さ方向ＯＨにおいて端面３３の中間に位置する点である。
【００３７】
端面３３は、上側端辺ＥＳｕと下側端辺ＥＳｂとの間の外周部３３ｏｃにおいて、端面３３の幅Ｌが広がるように湾曲した形状を有している。また、端面３３は、端面３３の中心点３３ｇを通り、高さ方向ＯＨと平行な直線ＰＯに対して線対称の形状を有している。端面３３において、その幅Ｌが最大となる部分を最大幅部ＰＸと呼ぶ。この最大幅部ＰＸは、高さ方向ＯＨにおける中心線Ｚからの距離Ｄ１が、中心線Ｚから上側端辺ＥＳｕまでの距離Ｄ２の１２％〜８８％（Ｄ１／Ｄ２＝０．１２〜０．８８）、より好ましくは、２５％〜７５％（Ｄ１／Ｄ２＝０．２５〜０．７５）となる位置に形成されている。言い換えれば、端面３３は、下側端辺ＥＳｂ側から上側端辺ＥＳｕ側に向かう方向において、中心線Ｚから１２％〜８８％、より好ましくは、２５％〜７５％上側端辺ＥＳｕ側の位置にのみ最大幅部ＰＸが形成されている。また、端面３３は、最大幅部ＰＸから下側端辺ＥＳｂ側および上側端辺ＥＳｕ側のそれぞれの方向に向かうほど幅Ｌが減少する形状を備えている。
【００３８】
また、上側端辺ＥＳｕの長さをＡ１、下側端辺ＥＳｂの長さをＡ２とし、最大幅部ＰＸの幅を幅Ｌｍａｘとすると、上側端辺ＥＳｕの長さＡ１は、下側端辺ＥＳｂの長さＡ２より長く、最大幅部ＰＸの幅Ｌｍａｘより短い（Ａ２＜Ａ１＜Ｌｍａｘ）。また、最大幅部ＰＸの幅Ｌｍａｘは、１．６５ｍｍ以上、２．２ｍｍ以下となるように構成されている（１．６５ｍｍ＜Ｌｍａｘ＜２．２ｍｍ）。
【００３９】
図５は、最大幅部ＰＸの位置に関する着火性評価試験の結果を例示した説明図である。この着火性評価試験では、接地電極３０の断面形状の異なる１８通りのスパークプラグを排気量１６００ｃｃ、４気筒、ＤＯＨＣ型ガソリンエンジンに装着してリーンリミット法による評価をおこなった。使用したスパークプラグは、すべて、接地電極３０の端面３３の高さ方向ＯＨの長さが１．６ｍｍ（Ｄ２＝０．８ｍｍ）であり、幅方向ＯＷの幅Ｌが２．０ｍｍ（Ｌｍａｘ＝２．０ｍｍ）である。一方、上側端辺ＥＳｕの長さＡ１と下側端辺ＥＳｂの長さＡ２は以下の４通りである。
【００４０】
（１）第１グループ：Ａ１＝２．０ｍｍ、Ａ２＝２．０ｍｍ（角形形状）
（２）第２グループ：Ａ１＝１．３ｍｍ、Ａ２＝１．３ｍｍ
（３）第３グループ：Ａ１＝１．６５ｍｍ、Ａ２＝１．３ｍｍ
（４）第４グループ：Ａ１＝１．３ｍｍ、Ａ２＝１．６５ｍｍ
第３グループと第４グループでは、最大幅部ＰＸの高さ方向ＯＨにおける中心線Ｚからの距離Ｄ１を、Ｄ１＝０ｍｍ、０．２ｍｍ、０．６ｍｍ、０．８ｍｍの４通りとした。第２グループでは、この４つに加えて、Ｄ１＝−０．６ｍｍ、−０．３ｍｍ、−０．２ｍｍ、０．１ｍｍ、０．３ｍｍ、０．７ｍｍを含む１０通りとした。
【００４１】
この評価試験の結果より、第２グループにおいて、Ｄ１がマイナス（Ｄ１＝−０．６ｍｍ、−０．３ｍｍ、−０．２ｍｍ、＜０）のときよりも、Ｄ１がプラス（Ｄ１＝０．１ｍｍ、０．２ｍｍ、０．３ｍｍ、０．６ｍｍ、０．７ｍｍ、０．８ｍｍ、＞０）のときの方が、着火限界Ａ／Ｆが高いことがわかった。すなわち、最大幅部ＰＸが中心線Ｚと下側端辺ＥＳｂとの間にあるときよりも、中心線Ｚと上側端辺ＥＳｕとの間にあるときの方が、着火限界Ａ／Ｆが高いことがわかった。これは、最大幅部ＰＸを中心線Ｚと上側端辺ＥＳｕとの間に形成することによって、着火点への混合気の流れを整流することができるためであると推定される。
【００４２】
また、第２〜４グループのいずれの場合においても、Ｄ１が０．１ｍｍから０．７ｍｍのとき、すなわち、Ｄ１がＤ２の１２％〜８８％（Ｄ１／Ｄ２＝０．１２〜０．８８）のときに着火限界Ａ／Ｆがさらに向上することがわかった。また、Ｄ１が０．２ｍｍから０．６ｍｍのとき、すなわち、Ｄ１がＤ２の２５％〜７５％（Ｄ１／Ｄ２＝０．２５〜０．７５）のときに着火限界Ａ／Ｆが特に向上することがわかった。
【００４３】
一方、第１グループと、第２〜４グループとを比較すると、Ａ１およびＡ２を、Ｌｍａｘより小さくすると着火限界Ａ／Ｆが向上することがわかった。また、第２〜４グループをそれぞれ比較すると、Ａ１をＡ２より大きくすると着火限界Ａ／Ｆがさらに向上することがわかった。よって、Ａ１をＡ２より大きくし、Ｌｍａｘより小さくすることが最も望ましいことがわかった。
【００４４】
図６は、最大幅部ＰＸの幅Ｌｍａｘに関する着火性評価試験の結果を例示した説明図である。この着火性評価試験では、最大幅部ＰＸの幅Ｌｍａｘの異なる１２通りのスパークプラグを排気量１６００ｃｃ、４気筒、ＤＯＨＣ型ガソリンエンジンに装着してリーンリミット法による評価をおこなった。使用したスパークプラグは、すべて、接地電極３０の端面３３の高さ方向ＯＨの長さが１．６ｍｍ（Ｄ２＝０．８ｍｍ）であり、上側端辺ＥＳｕの長さＡ１、下側端辺ＥＳｂの長さＡ２、および、最大幅部ＰＸの高さ方向ＯＨにおける中心線Ｚからの距離Ｄ１が以下の２通りである。
（１）第１グループ：Ａ１＝１．６５ｍｍ、Ａ２＝１．３ｍｍ、Ｄ１＝０．２ｍｍ
（２）第２グループ：Ａ１＝Ａ２＝Ｌｍａｘ、Ｄ１＝０〜０．８ｍｍ（四角形状）
各グループにおいて、最大幅部ＰＸの幅Ｌｍａｘは、１．２ｍｍ、１．５ｍｍ、１．８ｍｍ、２．０ｍｍ、２．２ｍｍ、２．４ｍｍの６通りとした。
【００４５】
この評価試験の結果より、第１グループと第２グループの両方のグループにおいて、最大幅部ＰＸの幅Ｌｍａｘが２．２ｍｍより大きくなると着火限界Ａ／Ｆが大きく低下することがわかる。一方、最大幅部ＰＸの幅Ｌｍａｘが１．５ｍｍ〜２．２ｍｍのときには、幅Ｌｍａｘが２．２ｍｍより大きい場合に比べて着火限界Ａ／Ｆが高いことがわかる。これは、最大幅部ＰＸの幅Ｌｍａｘ、すなわち、接地電極３０の幅が太くなることで着火点へ混合気が上手く整流できないためであると推定される。また、最大幅部ＰＸの幅Ｌｍａｘが１．５ｍｍ〜２．２ｍｍのときには、第１グループの着火限界Ａ／Ｆが第２グループの着火限界Ａ／Ｆより高いことがわかる。このことから、最大幅部ＰＸの幅Ｌｍａｘを１．５ｍｍ〜２．２ｍｍの範囲としたときには、四角形状のスパークプラグよりも着火限界Ａ／Ｆが顕著に向上することがわかる。また、最大幅部ＰＸの幅Ｌｍａｘを１．８ｍｍ〜２．２ｍｍの範囲としたときは、特に顕著に、四角形状のスパークプラグよりも着火限界Ａ／Ｆが向上することがわかる。
【００４６】
以上説明したスパークプラグによれば、混合気の流れ、特に、接地電極３０の基端部３２から中心電極２０の先端部２２へ向かう方向（図２の左から右）に流れる混合気の流れを整流させることができるので、接地電極の着火性の向上を図ることができる。また、本実施例のスパークプラグによれば、接地電極３０の長さが短くなるため、高圧力環境下においても、接地電極３０の先端部３１の高温化を抑制することができる。
【００４７】
Ｂ．第２実施例：
図７は、第２実施例に係るスパークプラグ１００ａの中心電極２０の先端部２２付近の拡大図である。図７（ａ）は、第１実施例の図２（ａ）と対応している。図７（ｂ）は、第１実施例の図３と対応している。第２実施例が第１実施例と異なる点は、接地電極３０の先端部３１に外側電極チップ８０が取り付けられている点である。
【００４８】
外側電極チップ８０は、略矩形の断面を有する柱状の外形を備えている。この外側電極チップ８０は、抵抗溶接によって一部が接地電極３０の先端部３１に埋設されている。これにより、外側電極チップ８０は、その端面８３の法線方向が、接地電極３０の端面３３の法線Ｘ方向と平行な状態で、接地電極３０の端面３３から法線Ｘ方向（図７（ａ）右方向）に突出している。また、外側電極チップ８０は、その側面８５が中心電極２０の先端部２２側（図７（ａ）下側）を向いた状態で、接地電極３０の内側面３４から中心電極２０の先端部２２側に突出している。外側電極チップ８０は、中心電極チップ７０と同様に高融点の貴金属からなる。接地電極３０の先端部３１に外側電極チップ８０を取り付けることによって、耐火花消耗性をさらに向上させることができる。
【００４９】
図８は、外側電極チップ８０の取り付け位置に関する着火性評価試験の結果を例示した説明図である。この着火性評価試験では、外側電極チップ８０の取り付け位置の異なる８通りのスパークプラグと、外側電極チップ８０を備えない２通りのスパークプラグを、それぞれ排気量１６００ｃｃ、４気筒、ＤＯＨＣ型ガソリンエンジンに装着してリーンリミット法による評価をおこなった。用意したスパークプラグは、すべて、接地電極３０の端面３３の高さ方向ＯＨの長さが１．６ｍｍ（Ｄ２＝０．８ｍｍ）、最大幅部ＰＸの幅Ｌｍａｘが２ｍｍであり、上側端辺ＥＳｕの長さＡ１、および、下側端辺ＥＳｂの長さＡ２が以下の２通りである。
【００５０】
（１）第１グループ：Ａ１＝１．６５ｍｍ、Ａ２＝１．３ｍｍ
（２）第２グループ：Ａ１＝Ａ２＝Ｌｍａｘ（四角形状）
第１グループに含まれる５通りのサンプル♯１〜♯５と、第２グループに含まれる５通りのサンプル♯６〜♯１０の構成は以下の通りである。
（１）サンプル♯１、サンプル♯６：外側電極チップ８０を備えていないスパークプラグ
（２）サンプル♯２、サンプル♯７：外側電極チップ８０が接地電極３０の先端部３１に埋め込まれていて、法線Ｘ方向にも中心電極２０の先端部２２側にも突出してないスパークプラグ
（３）サンプル♯３、サンプル♯８：外側電極チップ８０が中心電極２０の先端部２２側にのみ突出し、法線Ｘ方向には突出していないスパークプラグ
（４）サンプル♯４、サンプル♯９：外側電極チップ８０が法線Ｘ方向にのみ突出し、中心電極２０の先端部２２側には突出していないスパークプラグ
（５）サンプル♯５、サンプル♯１０：外側電極チップ８０が法線Ｘ方向にも中心電極２０の先端部２２側にも突出しているスパークプラグ
【００５１】
サンプル♯１〜１０の中心電極チップ７０の直径φは、０．５５ｍｍである。また、サンプル♯２〜５、７〜１０の外側電極チップ８０は、一辺が０．７ｍｍの角形断面を有している。また、サンプル♯３、５、８、１０の外側電極チップ８０の側面８５は、接地電極３０の内側面３４から中心電極２０の先端部２２側へ０．３ｍｍ突出している。サンプル♯４、５、９、１０の外側電極チップ８０の端面８３は、接地電極３０の端面３３から法線Ｘ方向へ０．６５ｍｍ突出している。
【００５２】
第１グループの評価試験の結果より、第１実施例で説明したスパークプラグ１００（図２）に対して、外側電極チップ８０を接地電極３０から突出するように取り付けると、接地電極の着火性がさらに向上することがわかった。例えば、スパークプラグ１００に対して、サンプル♯４、♯５のように、外側電極チップ８０を接地電極３０の端面３３から法線Ｘ方向に突出させるように取り付けた場合や、サンプル♯３、♯５のように、外側電極チップ８０を接地電極３０の内側面３４から中心電極２０の先端部２２側に突出させるように取り付けた場合に、接地電極の着火性がさらに向上することがわかった。また、スパークプラグ１００に対して、サンプル♯５のように、外側電極チップ８０を接地電極３０の端面３３から法線Ｘ方向に突出させ、かつ、接地電極３０の内側面３４から中心電極２０の先端部２２側に突出させて取り付けると、接地電極の着火性が特に向上することがわかった。
【００５３】
スパークプラグ１００に対して、外側電極チップ８０を接地電極３０から突出するように取り付けると接地電極の着火性がさらに向上する理由としては、接地電極３０の端面３３の形状によって整流された混合気が外側電極チップ８０を沿うようにして着火点に誘導されるためであると推定される。
また、第１グループと第２グループの評価試験の結果を比較すると、第１実施例で説明したスパークプラグ１００（図２）は、四角形状のスパークプラグよりも、外側電極チップ８０を接地電極３０から突出するように取り付けたときの接地電極の着火性の向上幅が大きいことがわかった。
【００５４】
Ｃ．第３実施例：
図９は、第３実施例に係るスパークプラグ１００ｂの中心電極２０の先端部２２付近の拡大図である。図９（ａ）は、第１実施例の図２（ａ）と対応している。図９（ｂ）は、第１実施例の図３と対応している。第３実施例が第１実施例と異なる点は、接地電極３０の形状が異なる点と、第２実施例と同様に接地電極３０の先端部３１に外側電極チップ８０が取り付けられている点である。外側電極チップ８０の形状および接地電極３０における取り付け位置については、第２実施例と同様のため説明を省略する。
【００５５】
第３実施例の接地電極３０ｂは、第１実施例の接地電極３０と同様に、端面３３の法線Ｘ方向が軸線Ｏ方向（図９の上下方向）と直交するように、中心電極２０の先端部２２側に湾曲している。一方、接地電極３０ｂは、軸線Ｏ方向において、接地電極３０の先端部３１の位置が第１実施例の接地電極３０よりも、主体金具５０の先端面５７に近くなる位置に形成されている。具体的には、接地電極３０ｂは、軸線Ｏ方向において、外側電極チップ８０の側面８５の位置Ｈｏｕが中心電極チップ７０の端面７０ｆの位置Ｈｃｅよりも主体金具５０の先端面５７に近くなるように形成されている。
【００５６】
この、スパークプラグ１００ｂは、外側電極チップ８０の端面８３が中心電極チップ７０の側面と対向するため、軸線Ｏ方向と略直交する方向（図９の左右方向）に火花ギャップが形成されて横放電をおこなう。なお、接地電極３０ｂの端面３３の形状は、第１実施例の接地電極３０の端面３３の形状（図４）と同様のため説明を省略する。この第３実施例のスパークプラグ１００ｂの構成であっても、ガソリンエンジンに使用されたときに、混合気の流れ、特に、接地電極３０の基端部３２から中心電極２０の先端部２２へ向かう方向（図９（ａ）の左から右）に流れる混合気の流れを整流させることができるので、接地電極の着火性を向上させることができる。
【００５７】
Ｄ．変形例： 
なお、この発明は上記の実施例や実施形態に限られるものではなく、その要旨を逸脱しない範囲において種々の態様において実施することが可能であり、例えば次のような変形も可能である。
【００５８】
Ｄ−１．変形例１、２：
図１０は、変形例１におけるスパークプラグの中心電極２０の先端部２２付近の拡大図である。図１１は、変形例２におけるスパークプラグの中心電極２０の先端部２２付近の拡大図である。図１０、図１１は、それぞれ第１実施例の図３と対応している。第１〜３実施例では、図４に示すように、接地電極３０の端面３３は、上側端辺ＥＳｕと下側端辺ＥＳｂとの間の外周部３３ｏｃにおいて、端面３３の幅Ｌが広がるように湾曲した形状を有しているものとして説明したが、上側端辺ＥＳｕと下側端辺ＥＳｂとの間の外周部３３ｏｃは、必ずしも曲線のみによって構成されていなくてもよい。例えば、図１０に示すスパークプラグ１００ｃように、接地電極３０ｃの端面３３ｃは、最大幅部ＰＸと上側端辺ＥＳｕとの間の外周部３３ｏｃや、最大幅部ＰＸと下側端辺ＥＳｂとの間の外周部３３ｏｃが直線状に形成されていてもよい。このスパークプラグ１００ｃの構成であっても、混合気の流れを整流させることができるので、接地電極の着火性を向上させることができる。
【００５９】
また、図１１に示すスパークプラグ１００ｄように、接地電極３０ｄの端面３３ｄは、外周部３３ｏｃに複数の角部Ａｐが形成された多角形形状であってもよい。このスパークプラグ１００ｄの構成であっても、混合気の流れを整流させることができるので、接地電極の着火性を向上させることができる。
【００６０】
Ｄ−２．変形例３、４：
図１２は、変形例３におけるスパークプラグの中心電極２０の先端部２２付近の拡大図である。図１３は、変形例４におけるスパークプラグの中心電極２０の先端部２２付近の拡大図である。図１２、図１３は、それぞれ第１実施例の図３と対応している。第１〜３実施例では、図３に示すように、接地電極３０の端面３３は、外側面３５との交線として形成される上側端辺ＥＳｕと、内側面３４との交線として形成される下側端辺ＥＳｂとを備えているものとして説明したが、接地電極３０は、必ずしも内側面３４や外側面３５を備えていなくてもよく、また、接地電極３０の端面３３は、上側端辺ＥＳｕや下側端辺ＥＳｂを備えていなくてもよい。例えば、図１２に示すスパークプラグ１００ｅように、接地電極３０ｅの端面３３ｅは、下側端辺ＥＳｂｅを備えずに内側角部Ａｅｂが形成されていてもよい。こスパークプラグ１００ｅの構成であっても、混合気の流れを整流させることができるので、接地電極の着火性を向上させることができる。
【００６１】
また、図１３に示すスパークプラグ１００ｆように、接地電極３０ｆの端面３３ｆは、下側端辺ＥＳｂｅと上側端辺ＥＳｕを備えずに内側角部Ａｅｂと外側角部Ａｅｕが形成されていてもよい。このスパークプラグ１００ｆの構成であっても、混合気の流れを整流させることができるので、接地電極の着火性を向上させることができる。
【００６２】
Ｄ−３．変形例５：
図１４は、変形例５におけるスパークプラグの中心電極２０の先端部２２付近の拡大図である。図１４は、第１実施例の図２（ａ）と対応している。第１〜３実施例では、図２（ａ）に示すように、接地電極３０は、端面３３の法線Ｘ方向が軸線Ｏ方向と直交するものとして説明したが、接地電極３０は、図１４に示すように、必ずしも端面３３の法線Ｘ方向が軸線Ｏ方向と直交していなくてもよい。このスパークプラグ１００ｇの構成であっても、接地電極３０ｇの端面３３が、図４に示すような形状を備えていれば、混合気の流れを整流させることができるので、接地電極の着火性を向上させることができる。
【００６３】
Ｄ−４．変形例６：
図１５は、変形例６におけるスパークプラグの中心電極２０の先端部２２付近の拡大図である。図１５（ａ）（ｂ）は、第１実施例の図２（ａ）（ｂ）と対応している。第１〜３実施例では、スパークプラグ１００の中心電極２０は、先端部２２に中心電極チップ７０を備える構成とし、図２（ｂ）に示した端点ｃｉと端点ｃｏは、中心電極チップ７０の一部分として説明したが、図１５（ａ）（ｂ）に示すスパークプラグ１００ｈように、中心電極２０の先端部２２に中心電極チップ７０を備えず、電極母材２１により形成された先端部２２自体の一部分を端点ｃｉと端点ｃｏとして接地電極３０ｈの端面３３の位置を設定してもよい。
【００６４】
Ｄ−５．変形例７：
上述した第１〜第３実施例、および、変形例１〜６は、それぞれを任意に組み合わせて実現してもよい。例えば、第３実施例のスパークプラグ１００ｂ（図９）は、接地電極３０の先端部３１に外側電極チップ８０を備えていない構成であっても実現することができる。また、変形例３のスパークプラグ１００ｅ（図１２）は、変形例５のスパークプラグ１００ｇ（図１４）のように、接地電極３０の端面３３の法線Ｘ方向が軸線Ｏ方向と直交していない構成としても実現することができる。
【符号の説明】
【００６５】
３…セラミック抵抗
４…シール体
５…ガスケット
６…リング部材
８…板パッキン
９…タルク
１０…絶縁碍子
１２…軸孔
１３…脚長部
１５…段部
１７…先端側胴部
１８…後端側胴部
１９…鍔部
２０…中心電極
２１…電極母材
２５…芯材
３０…接地電極
３１…先端部
３２…基端部
３３…端面
３４…内側面
３５…外側面
４０…端子金具
５０…主体金具
５１…工具係合部
５２…取付ねじ部
５３…加締部
５４…シール部
５５…座面
５６…段部
５７…先端面
５８…座屈部
５９…ねじ首
７０…中心電極チップ
８０…外側電極チップ
１００…スパークプラグ
２００…エンジンヘッド
２０１…取付ねじ孔
２０５…開口周縁部
【図１】
2012114661.tif 000003
【図２】
2012114661.tif 000004
【図３】
2012114661.tif 000005
【図４】
2012114661.tif 000006
【図５】
2012114661.tif 000007
【図６】
2012114661.tif 000008
【図７】
2012114661.tif 000009
【図８】
2012114661.tif 000010
【図９】
2012114661.tif 000011
【図１０】
2012114661.tif 000012
【図１１】
2012114661.tif 000013
【図１２】
2012114661.tif 000014
【図１３】
2012114661.tif 000015
【図１４】
2012114661.tif 000016
【図１５】
2012114661.tif 000017
【国際調査報告】
2012114661.tif 000018
2012114661.tif 000019
2012114661.tif 000020
2012114661.tif 000021